(57)【要約】【課題】防犯性を高めた補助錠を提供する。【解決手段】補助錠１は、出入口の枠に蝶番で固定された扉Ｄにおける室内側に設けられる。この補助錠１は、扉Ｄの室内側の面における蝶番とは反対側の側縁に固定され、下方に向けて開いている第１穴１１を構成する第１固定具１０と、出入口の枠の蝶番とは反対側における第１固定具１０の近傍、又は室内の壁における第１固定具１０の近傍に固定され、下方に向けて開いている第２穴２１を構成する第２固定具２０と、対で互いに平行に延びていて第１穴１１及び第２穴の双方に各々が下方に向けて挿入される挿入部３１，３２と、対の挿入部３１，３２を互いに連結している連結部３３と、を有しているロック部材３０と、を備えている。【選択図】図３
0003224740.tif 000002
【実用新案登録請求の範囲】
【請求項１】
出入口の枠に蝶番で固定された開き戸における室内側に設けられる補助錠であって、
前記開き戸の室内側の面における前記蝶番とは反対側の側縁に固定され、下方に向けて開いている第１穴を構成する第１固定具と、
前記出入口の枠の前記蝶番とは反対側における前記第１固定具の近傍、又は室内の壁における前記第１固定具の近傍に固定され、下方に向けて開いている第２穴を構成する第２固定具と、
対で互いに平行に延びていて前記第１穴及び前記第２穴の双方に各々が下方に向けて挿入される挿入部と、対の前記挿入部を互いに連結している連結部と、を有しているロック部材と、を備えていることを特徴とする
補助錠。
【請求項２】
前記第１固定具又は前記第２固定具と、前記ロック部材と、を繋ぐ紐状部材を備えていることを特徴とする
請求項１に記載の補助錠。
【考案の詳細な説明】
【技術分野】
【０００１】
本考案は、扉の室内側に設けられる補助錠に関する。
【背景技術】
【０００２】
玄関や勝手口の扉（開き戸）の室内側には、補助錠として、ドアチェーンやいわゆるＵ字ロックが設けられていることが多い（例えば、特許文献１及び２参照）。ドアチェーンやＵ字ロックを掛けた状態で扉を半開きにすることで、外部からの侵入を防止しつつ外部の確認や室内への風通しが可能になる。
【先行技術文献】
【特許文献】
【０００３】
【特許文献１】特開２０１２−２３７０９７号公報
【特許文献２】特開２０１８−０５９３６５号公報
【考案の概要】
【考案が解決しようとする課題】
【０００４】
しかしながら、暴漢にしてみればドアチェーンやＵ字ロックを破壊することは難しいことではない。すなわち、ドアチェーンやＵ字ロックを掛けて扉を半開きにした状態は室内への不法侵入が可能といえる。また、インターネットの普及に伴い、ドアチェーンやＵ字ロックを外部から外す方法が知られるようになっている。このように、ドアチェーンやＵ字ロックは防犯上問題がある。さらに、モニター付きのインターホンの普及に伴い、扉を半開きにする必要性が低下している事情もある。
【０００５】
本考案は、上記課題を鑑みてなされたものであり、防犯性を高めた補助錠を提供することを目的とする。
【課題を解決するための手段】
【０００６】
（１）本考案は、出入口の枠に蝶番で固定された開き戸における室内側に設けられる補助錠であって、前記開き戸の室内側の面における前記蝶番とは反対側の側縁に固定され、下方に向けて開いている第１穴を構成する第１固定具と、前記出入口の枠の前記蝶番とは反対側における前記第１固定具の近傍、又は室内の壁における前記第１固定具の近傍に固定され、下方に向けて開いている第２穴を構成する第２固定具と、対で互いに平行に延びていて前記第１穴及び前記第２穴の双方に各々が下方に向けて挿入される挿入部と、対の前記挿入部を互いに連結している連結部と、を有しているロック部材と、を備えていることを特徴とする補助錠である。
【０００７】
本考案によれば、従来のドアチェーンやいわゆるＵ字ロックとは異なり、ロックを行った状態で扉を半開きにすることができなくなるので、防犯性を高めることができる。また、本考案によれば、第２固定具が固定される箇所に自由度があるので、第２固定具が固定される箇所となる出入口の枠又は室内の壁は、第１固定具が固定される扉と平行である必要がなく、種々の扉に後付けすることが可能である。
【０００８】
（２）本考案はまた、前記第１固定具又は前記第２固定具と、前記ロック部材と、を繋ぐ紐状部材を備えていることを特徴とする上記（１）に記載の補助錠である。
【０００９】
本考案によれば、ロックが解除されている場合、ロック部材が吊り下がっている状態になる。このため、ロック部材が吊り下がっている状態を目視することでロックが解除されていることを認識することができる。すなわち、扉が見える場所であれば少々扉から離れた場所からであってもロックが解除されていることを容易に認識することができる。
【考案の効果】
【００１０】
本考案の上記（１）及び（２）に記載の補助錠によれば、玄関や勝手口（裏口）の扉への取付けが簡単であり、また、防犯性を高めることができる。
【図面の簡単な説明】
【００１１】
【図１】本考案の実施形態に係る補助錠を設けた扉の室内側を示す外観斜視図である。
【図２】図１に示す補助錠の外観斜視図であり、ロックが解除されている状態を示す。
【図３】図１に示す補助錠の外観斜視図であり、ロックが行われている状態を示す。
【考案を実施するための形態】
【００１２】
以下、図面を参照して、本考案の実施形態に係る補助錠１について詳細に説明する。
【００１３】
まず、図１〜図３を用いて、補助錠１の構成について説明する。図１は、本考案の実施形態に係る補助錠１を設けた扉Ｄの室内側を示す外観斜視図である。図２は、図１に示す補助錠１の外観斜視図であり、ロックが解除されている状態を示す。図３は、図１に示す補助錠１の外観斜視図であり、ロックが行われている状態を示す。
【００１４】
図１〜図３に示す補助錠１は、玄関や勝手口（出入口）の枠に蝶番で固定された扉（開き戸）Ｄにおける室内側にサムターン錠Ｔと共に設けられ、室内側でロック及びその解除の操作が行われるものである。具体的に、補助錠１は、第１固定具１０と、第２固定具２０と、ロック部材３０と、紐状部材４０と、を備えている。
【００１５】
第１固定具１０は、扉Ｄの室内側の面における蝶番とは反対側（図１における右側）の側縁にネジ（符号省略）で固定される金具である。この第１固定具１０は、下方に向けて開いている第１穴１１を構成する。
【００１６】
第２固定具２０は、出入口の枠の蝶番とは反対側（図１における右側）における第１固定具１０の近傍、又は室内の壁における第１固定具１０の近傍にネジ（符号省略）で固定される金具である。この第２固定具２０は、下方に向けて開いている第２穴２１を構成する。第２固定具２０には、紐状部材４０の一端が固定される。
【００１７】
ロック部材３０は、略コの字形又は略Ｕの字形の金具であり、対の挿入部３１，３２と、連結部３３と、を有している。対の挿入部３１，３２は、互いに平行に延びていて、第１固定具１０が構成する第１穴１１及び第２固定具２０が構成する第２穴２１の双方に各々が下方に向けて挿入される。連結部３３は、対の挿入部３１，３２を互いに連結している。ロック部材３０には、紐状部材４０の他端が固定される。
【００１８】
紐状部材４０は、第２固定具２０とロック部材３０とを繋いでいる。この紐状部材４０は、一端が第２固定具２０に固定され、他端がロック部材３０に固定されている。紐状部材４０には、糸、紐、ロープ、綱、ワイヤー、チェーン等、あらゆる紐状のものを採用することができる。
【００１９】
次に、図１〜図３を用いて、補助錠１の使用方法について説明する。
【００２０】
図１及び図２に示すように、ロックが解除されている状態の補助錠１は、ロック部材３０が第２固定具２０に紐状部材４０で吊り下がっている。ロックが解除されている状態から、手動で、ロック部材３０における対の挿入部３１，３２の一方を第１固定具１０の第１穴１１に下方に向けて挿入すると同時にその他方を第２固定具２０の第２穴２１に下方に向けて挿入することで、図３に示すロックが行われている状態になる。
【００２１】
図３に示すように、ロックが行われている状態の補助錠１は、ロック部材３０における対の挿入部３１，３２の一方が第１固定具１０の第１穴１１に下方に向けて挿入されていると共にその他方が第２固定具２０の第２穴２１に下方に向けて挿入されている。ロックが行われている状態から、手動で、ロック部材３０を持ち上げることでロックが解除され、ロック部材３０を放すことで、図１及び図２に示すロック部材３０が吊り下がった状態になる。
【００２２】
このように、補助錠１によれば、従来のドアチェーンやいわゆるＵ字ロックとは異なり、ロックを行った状態（図３参照）で扉Ｄを半開きにすることができなくなるので、防犯性を高めることができる。また、補助錠１によれば、第２固定具２０が固定される箇所に自由度があるので、第２固定具２０が固定される箇所となる出入口の枠又は室内の壁は、第１固定具１０が固定される扉Ｄと平行である必要がなく、種々の扉Ｄに後付けすることが可能である。
【００２３】
そして、補助錠１によれば、ロックが解除されている場合（図１及び図２参照）、ロック部材３０が吊り下がっている状態になる。このため、ロック部材３０が吊り下がっている状態を目視することでロックが解除されていることを認識することができる。すなわち、扉Ｄが見える場所であれば少々扉Ｄから離れた場所からであってもロックが解除されていることを容易に認識することができる。
【００２４】
本考案は、上記実施形態に限られるものではなく、その趣旨及び技術思想を逸脱しない範囲で種々の変形が可能である。すなわち、各構成の位置、大きさ、長さ、形状、材質、などは適宜変更できる。
【００２５】
例えば、上記実施形態では、紐状部材４０が第２固定具２０とロック部材３０とを繋いでいる場合を例に説明したが、紐状部材４０が第１固定具１０とロック部材３０とを繋いでいるようにしてもよい。
【符号の説明】
【００２６】
１  補助錠
１０  第１固定具
１１  第１穴
２０  第２固定具
２１  第２穴
３０  ロック部材
３１，３２  挿入部
３３  連結部
４０  紐状部材
Ｄ  扉（開き戸）
Ｔ  サムターン錠
【図１】
0003224740.tif 000003
【図２】
0003224740.tif 000004
【図３】
0003224740.tif 000005